(57)【要約】  実施形態では、無線ネットワークのセルクラスタにおいてリソースを管理する方法が開示される。セルクラスタは複数のセルを具備し、各セルは内部領域および外部領域を有する。方法は、各セルにおいて電力比を設定し、電力比は、セルの内部領域に位置する無線デバイスへの信号の送信に用いられることになっている電力レベルと、セルの外部領域に位置する無線デバイスへの信号の送信に用いられることになっている電力レベルとの比率であり、複数のネットワークリソースからネットワークリソースを外部領域に位置する無線デバイスに割り当て、各セルにおいて、セルの外部領域に位置する無線デバイスに割り当てられない複数のネットワークリソースのうちのネットワークリソースから、セルの内部領域に位置する無線デバイスにネットワークリソースを割り当て、各セルにおいて、外部領域に位置する無線デバイスへのデータの送信に関する第１データスループットレートの指示を受信し、各セルにおいて、第１データスループットレートと閾値データレートとを比較し、第１データスループットレートが閾値データレート未満であるセルの電力比を減少させる。【選択図】図７
2016513900.tif 000002
【特許請求の範囲】
【請求項１】
無線ネットワークのセルクラスタにおいてリソースを管理する方法であって、前記セルクラスタは複数のセルを具備し、各セルは内部領域および外部領域を有し、前記方法は、
各セルにおいて電力比を設定し、前記電力比は、セルの前記内部領域に位置する無線デバイスへの信号の送信に用いられることになっている電力レベルと、当該セルの前記外部領域に位置する無線デバイスへの信号の送信に用いられることになっている電力レベルとの比率であり、
複数のネットワークリソースからネットワークリソースを前記外部領域に位置する無線デバイスに割り当て、
各セルにおいて、セルの前記外部領域に位置する無線デバイスに割り当てられない前記複数のネットワークリソースのうちのネットワークリソースから、当該セルの前記内部領域に位置する無線デバイスにネットワークリソースを割り当て、
各セルにおいて、前記外部領域に位置する前記無線デバイスへのデータの送信に関する第１データスループットレートの指示を受信し、
各セルにおいて、前記第１データスループットレートと閾値データレートとを比較し、
前記第１データスループットレートが前記閾値データレート未満であるセルの前記電力比を減少させる方法。
【請求項２】
前記第１データスループットレートが前記閾値データレート未満である各セルにおいて、前記外部領域に位置する前記無線デバイスへのデータの送信に関する第２データスループットレートの指示を受信し、
前記第１データスループットレートが前記閾値データレート未満である各セルにおいて、前記第２データスループットレートと前記閾値データレートとを比較し、
前記第２データスループットレートが前記閾値よりも低いセルにおいて、任意の隣接セルの外部領域に位置する無線デバイスに割り当てられないリソースが存在するかどうかを決定し、
任意の隣接セルの外部領域に位置する無線デバイスに割り当てられないリソースが存在する場合、前記外部領域に位置する無線デバイスに割り当てられるリソースの数を増加させることをさらに具備する請求項１の方法。
【請求項３】
前記外部領域に位置する無線デバイスに複数のネットワークリソースからネットワークリソースを割り当てることは、前記複数のセルの前記外部領域に位置する前記無線デバイスの間でネットワークリソースを割り当てることを具備する請求項１の方法。
【請求項４】
前記外部領域に位置する無線デバイスに複数のネットワークリソースからネットワークリソースを割り当てることは、異なるセルにおける無線デバイスに関するチャネル特性を比較し、前記比較の結果に基づく割り当てをすることを具備する請求項３の方法。
【請求項５】
前記外部領域に位置する無線デバイスに複数のネットワークリソースからネットワークリソースを割り当てることは、各セルにおいて、当該セルに割り当てられるリソースのセットから無線デバイスにリソースを割り当てることを具備する請求項１の方法。
【請求項６】
前記第１データスループットレートと閾値データレートと間の差分の尺度を計算し、前記差分の前記尺度に依存する量だけ前記電力比を減少させることをさらに具備する請求項１の方法。
【請求項７】
セルの前記外部領域に位置する無線デバイスに割り当てられる前記複数のネットワークリソースからのネットワークリソースの数は、当該セルの前記外部領域に位置する無線デバイスの数から決定される請求項１の方法。
【請求項８】
無線ネットワークのセルにおいてリソースを管理する方法であって、前記セルは内部領域および外部領域を有し、前記方法は、
前記セル内の基地局から前記外部領域に位置する無線デバイスへ信号を送信するために用いられる電力と、前記基地局から前記内部領域に位置する無線デバイスへ信号を送信するために用いられる電力との比率に関する初期電力比を設定し、
前記外部領域に位置する無線デバイスにネットワークリソースを割り当て、
前記内部領域に位置する無線デバイスにネットワークリソースを割り当て、
前記無線デバイスにデータを送信し、
前記外部領域に位置する前記無線デバイスへのデータの送信に関する第１データスループットレートを計測し、
前記第１データスループットレートと閾値データレートとを比較し、
前記第１データスループットレートが前記閾値データレート未満である場合、電力比を減少させ、
前記減少させた電力比で前記無線デバイスにデータを送信する方法。
【請求項９】
第２データスループットレートを決定し、
前記第２データスループットレートと前記閾値データレートとを比較し、
任意の隣接セルの外部領域に位置する無線デバイスに割り当てられないリソースが存在するかどうかを決定し、
任意の隣接セルの外部領域に位置する無線デバイスに割り当てられないリソースが存在する場合、前記外部領域に位置する無線デバイスに割り当てられるリソースの数を増加させることをさらに具備する請求項８に記載の方法。
【請求項１０】
前記第１データスループットレートと閾値データレートとの間の差分の尺度を計算し、
前記差分の前記尺度に依存する量だけ前記電力比を減少させることをさらに具備する請求項８の方法。
【請求項１１】
前記セルの前記外部領域に位置する無線デバイスに割り当てられる複数のネットワークリソースからのネットワークリソースの数は、当該セルの前記外部領域に位置する無線デバイスの数から決定される請求項８の方法。
【請求項１２】
プロセッサ上で実行される場合、前記プロセッサに請求項１に記載の方法を実行させるプロセッサ実行可能指示を有するコンピュータ読み取り可能なキャリア媒体。
【請求項１３】
プロセッサ上で実行される場合、前記プロセッサに請求項８に記載の方法を実行させるプロセッサ実行可能指示を有するコンピュータ読み取り可能なキャリア媒体。
【請求項１４】
無線ネットワークの複数の基地局から信号を送受信する通信モジュールと、プロセッサとを具備し、
前記無線ネットワークは複数のセルを含み、各セルは内部領域および外部領域を有し、前記複数の基地局のうちの基地局は前記セルの前記内部領域に位置し、
各セルにおいて電力比を設定し、前記電力比は、セルの前記内部領域に位置する無線デバイスへの信号の送信に用いられることになっている電力レベルと、セルの前記外部領域に位置する無線デバイスへの信号の送信に用いられることになっている電力レベルとの比率であり、
前記プロセッサは、
複数のネットワークリソースからネットワークリソースを前記外部領域に位置する無線デバイスに割り当て、
各セルにおいて、セルの前記外部領域に位置する無線デバイスに割り当てられない前記複数のネットワークリソースのうちのネットワークリソースから、セルの前記内部領域に位置する無線デバイスにネットワークリソースを割り当て、
各セルにおいて、前記外部領域に位置する前記無線デバイスへのデータの送信に関する第１データスループットレートと閾値データレートとを比較し、
前記第１データスループットレートが前記閾値データレート未満であるセルに関する前記電力比を減少させる、
ネットワークコントローラ。
【請求項１５】
前記プロセッサはさらに、
前記第１データスループットレートが前記閾値データレート未満である各セルにおいて、前記外部領域に位置する前記無線デバイスへのデータの送信に関する第２データスループットレートと前記閾値データレートとを比較し、
前記第２データスループットレートが前記閾値よりも低いセルにおいて、任意の隣接セルの外部領域に位置する無線デバイスに割り当てられないリソースが存在するかどうかを決定し、
任意の隣接セルの外部領域に位置する無線デバイスに割り当てられないリソースが存在する場合、前記外部領域に位置する無線デバイスに割り当てられるリソースの数を増加させる請求項１４のネットワークコントローラ。
【請求項１６】
前記プロセッサは、異なるセルにおける無線デバイスに関するチャネル特性を比較し、前記比較の結果に基づく割り当てをする請求項１４のネットワークコントローラ。
【請求項１７】
前記プロセッサは、前記第１データスループットレートと閾値データレートとの間の差分の尺度を計算し、前記差分の前記尺度に依存する量だけ前記電力比を減少させる請求項１４のネットワークコントローラ。
【請求項１８】
無線ネットワークのセル内の無線デバイスからの信号を送受信するアンテナと、プロセッサとを具備し、
前記セルは内部領域および外部領域を有し、
前記プロセッサは、
前記セル内の基地局から前記外部領域に位置する無線デバイスへ信号を送信するために用いられる電力と、前記基地局から前記内部領域に位置する無線デバイスへ信号を送信するために用いられる電力との比率に関する初期電力比を設定し、
前記外部領域に位置する無線デバイスにネットワークリソースを割り当て、
前記内部領域に位置する無線デバイスにネットワークリソースを割り当て、
前記外部領域に位置する前記無線デバイスへのデータの送信に関する第１データスループットレートを計測し、
前記第１データスループットレートと閾値データレートとを比較し、
前記第１データスループットレートが閾値データレート未満である場合、前記電力比を減少させる、
基地局。
【請求項１９】
前記プロセッサはさらに、
第２データスループットレートを決定し、
前記第２データスループットレートと前記閾値データレートとを比較し、
前記第２データスループットレートが前記閾値データレート未満である場合、任意の隣接セルの外部領域に位置する無線デバイスに割り当てられないリソースが存在するかどうかを決定し、
任意の隣接セルの外部領域に位置する無線デバイスに割り当てられないリソースが存在する場合、前記外部領域に位置する無線デバイスに割り当てられるリソースの数を増加させる請求項１８に記載の基地局。
【請求項２０】
前記プロセッサはさらに、前記第１データスループットレートと閾値データレートとの間の差分の尺度を計算し、前記差分の前記尺度に依存する量だけ前記電力比を減少させる請求項１８の基地局。
【発明の詳細な説明】
【技術分野】
【０００１】
実施形態は、無線通信方法および装置に関する。
【背景技術】
【０００２】
フラクショナル周波数繰り返し（ＦＦＲ）とソフト周波数繰り返し（ＳＦＲ）とは、直交周波数分割多重接続（ＯＦＤＭＡ）ネットワークにおけるセル間干渉低減に用いられる技術である。両方の技術では、セル端ユーザ（ＣＥＵ）およびセル中心ユーザ（ＣＣＵ）に関して割り当てられるチャネルまたはサブキャリアまたはリソースブロックの数は、隣接セルごとに独立で予め決定される。各セルはその後、チャネルの異なるサブセットをセルエッジユーザに割り当てる。これは、任意のチャネルが隣接セルとの間で重複しないことを確実にするためである。この方式は、セル間干渉を避けるために用いられる。
【０００３】
ＦＦＲでは、任意のセルにおいてセル端ユーザに割り当てられるチャネルは予約される、つまり、そのチャネルは隣接するセルによって利用できない。これは、任意のどのセルにおいても、いくつかのリソースが利用できないので、よりよいセル端パフォーマンスを達成するためのトレードオフとして低スペクトル効率となる。
【０００４】
ＳＦＲでは、異なるサブキャリア電力レベルがＣＣＵおよびＣＥＵに用いられる。ＣＣＵに信号を送信するために低電力が用いられ、ＣＥＵに信号を送信するために高電力が用いられる。この理由は、ＣＥＵはたいてい高い干渉を被るので、干渉を低減するために高いサブキャリア電力が要求されるからである。ＣＣＵに関しては、低いサブキャリア電力で十分である。ＳＦＲは、各セルにおけるネットワークの全てのリソースを利用する。これは、高いスペクトル効率となる。
【図面の簡単な説明】
【０００５】
以下では、実施形態は添付する図面を参照して記述される。
【図１】図１は、実施形態に係る無線ネットワークを示す。
【図２】図２は、実施形態に係る基地局を示す。
【図３】図３は、実施形態に係るネットワークリソースを管理する方法を示す。
【図４】図４は、実施形態に係るネットワークリソースの割り当てを示す。
【図５】図５は、実施形態に係る無線ネットワークを示す。
【図６】図６は、実施形態に係るセルクラスタコントローラを示す。
【図７】図７は、実施形態に係るネットワークリソースを管理する方法を示す。
【図８】図８は、実施形態に係るネットワークリソースの割り当てを示す。
【図９】図９は、実施形態に係るネットワークリソースを管理する方法を示す。
【図１０】図１０は、実施形態に係るネットワークリソースを管理する方法を示す。
【図１１】図１１は、実施形態に係るネットワークリソースを管理する方法を示す。
【図１２】図１２は、実施形態に係るネットワークリソースを管理する方法を示す。
【図１３】図１３は、実施形態のスケジューラを示す。
【図１４】図１４は、実施形態に係る無線ネットワークを示す。
【発明を実施するための形態】
【０００６】
実施形態では、無線ネットワークのセルクラスタにおいてリソースを管理する方法が開示される。セルクラスタは複数のセルを具備し、各セルは内部領域および外部領域を有する。前記方法は、各セルにおいて電力比を設定し、電力比は、セルの内部領域に位置する無線デバイスへの信号の送信に用いられることになっている電力レベルと、セルの外部領域に位置する無線デバイスへの信号の送信に用いられることになっている電力レベルとの比率であり、複数のネットワークリソースからネットワークリソースを外部領域に位置する無線デバイスに割り当て、各セルにおいて、セルの外部領域に位置する無線デバイスに割り当てられない複数のネットワークリソースのうちのネットワークリソースから、セルの内部領域に位置する無線デバイスにネットワークリソースを割り当て、各セルにおいて、外部領域に位置する無線デバイスへのデータの送信に関する第１データスループットレートの指示を受信し、各セルにおいて、第１データスループットレートと閾値データレートとを比較し、第１データスループットレートが閾値データレート未満であるセルの電力比を減少させることを具備する。
【０００７】
実施形態では、前記方法は、前記第１データスループットレートが前記閾値データレート未満である各セルにおいて、前記外部領域に位置する前記無線デバイスへのデータの送信に関する第２データスループットレートレートの指示を受信し、前記第１データスループットレートが前記閾値データレート未満である各セルにおいて、前記第２データスループットレートと前記閾値データレートとを比較し、前記第２データスループットレートが前記閾値よりも低いセルにおいて、任意の隣接セルの外部領域に位置する無線デバイスに割り当てられないリソースが存在するかどうかを決定し、任意の隣接セルの外部領域に位置する無線デバイスに割り当てられないリソースが存在する場合、前記外部領域に位置する無線デバイスに割り当てられるリソースの数を増加させることをさらに具備する。
【０００８】
実施形態では、前記外部領域に位置する無線デバイスに複数のネットワークリソースからネットワークリソースを割り当てることは、前記複数のセルの前記外部領域に位置する前記無線デバイスの間でネットワークリソースを割り当てることを具備する。
【０００９】
実施形態では、前記外部領域に位置する無線デバイスに複数のネットワークリソースからネットワークリソースを割り当てることは、異なるセルにおける無線デバイスに関するチャネル特性を比較し、前記比較の結果に基づく割り当てをすることを具備する。
【００１０】
実施形態では、前記外部領域に位置する無線デバイスに複数のネットワークリソースからネットワークリソースを割り当てることは、各セルにおいて、セルに割り当てられるリソースのセットから無線デバイスにリソースを割り当てることを具備する。
【００１１】
実施形態では、前記方法は、前記第１データスループットレートと閾値データレートと間の差分の尺度を計算し、前記差分の尺度に依存する量だけ前記電力比を減少させることをさらに具備する。
【００１２】
実施形態では、セルの前記外部領域に位置する無線デバイスに割り当てられる前記複数のネットワークリソースからのネットワークリソースの数は、セルの前記外部領域に位置する無線デバイスの数から決定される。
【００１３】
実施形態では、無線ネットワークのセルにおいてリソースを管理する方法が開示される。前記セルは内部領域および外部領域を有する。前記方法は、基地局から前記内部領域に位置する無線デバイスへ信号を送信するために用いられる電力と、前記セル内の基地局から前記外部領域に位置する無線デバイスへ信号を送信するために用いられる電力との比率に関する初期電力比を設定し、前記外部領域に位置する無線デバイスにネットワークリソースを割り当て、前記内部領域に位置する無線デバイスにネットワークリソースを割り当て、前記無線デバイスにデータを送信し、前記外部領域に位置する前記無線デバイスへのデータの送信に関する第１データスループットレートを計測し、前記第１データスループットレートと閾値データレートとを比較し、前記第１データスループットレートが閾値データレート未満である場合、前記電力比を減少させ、前記減少させた電力比で前記無線デバイスにデータを送信することを具備する。
【００１４】
実施形態では、前記方法は、第２データスループットレートを決定し、前記第２データスループットレートと前記閾値データレートとを比較し、任意の隣接セルの外部領域に位置する無線デバイスに割り当てられないリソースが存在するかどうかを決定し、任意の隣接セルの外部領域に位置する無線デバイスに割り当てられないリソースが存在する場合、前記外部領域に位置する無線デバイスに割り当てられるリソースの数を増加させることをさらに具備する。
【００１５】
実施形態では、方法は、前記第１データスループットレートと閾値データレートとの間の差分の尺度を計算し、前記差分の尺度に依存する量だけ前記電力比を減少させることをさらに具備する。
【００１６】
実施形態では、前記セルの前記外部領域に位置する無線デバイスに割り当てられる前記複数のネットワークリソースからのネットワークリソースの数は、セルの前記外部領域に位置する無線デバイスの数から決定される。
【００１７】
実施形態では、ネットワークコントローラは、無線ネットワークの複数の基地局から信号を送受信する通信モジュールと、前記無線ネットワークは複数のセルを含み、各セルは内部領域および外部領域を有し、前記複数の基地局のうちの基地局は前記セルの前記内部領域に位置し、各セルにおいて電力比を設定し、前記電力比は、セルの前記内部領域に位置する無線デバイスへの信号の送信に用いられることになっている電力レベルと、セルの前記外部領域に位置する無線デバイスへの信号の送信に用いられることになっている電力レベルとの比率であり、複数のネットワークリソースからネットワークリソースを前記外部領域に位置する無線デバイスに割り当て、各セルにおいて、セルの前記外部領域に位置する無線デバイスに割り当てられない前記複数のネットワークリソースのうちのネットワークリソースから、セルの前記内部領域に位置する無線デバイスにネットワークリソースを割り当て、各セルにおいて、前記外部領域に位置する前記無線デバイスへのデータの送信に関する第１データスループットレートと閾値データレートとを比較し、前記第１データスループットレートが前記閾値データレート未満であるセルの前記電力比を減少させるプロセッサとを、具備する。
【００１８】
実施形態では、前記プロセッサはさらに、前記第１データスループットレートが前記閾値データレート未満である各セルにおいて、前記外部領域に位置する前記無線デバイスへのデータの送信に関する第２データスループットレートと前記閾値データレートとを比較し、前記第２データスループットレートが前記閾値よりも低いセルにおいて、任意の隣接セルの外部領域に位置する無線デバイスに割り当てられないリソースが存在するかどうかを決定し、任意の隣接セルの外部領域に位置する無線デバイスに割り当てられないリソースが存在する場合、前記外部領域に位置する無線デバイスに割り当てられるリソースの数を増加させる。
【００１９】
実施形態では、前記プロセッサは、異なるセルにおける無線デバイスに関するチャネル特性を比較し、前記比較の結果に基づく割り当てをする。
【００２０】
実施形態では、前記プロセッサは、前記第１データスループットレートと閾値データレートとの間の差分の尺度を計算し、前記差分の尺度に依存する量だけ前記電力比を減少させる。
【００２１】
実施形態では、基地局は、無線ネットワークのセル内の無線デバイスからの信号を送受信するアンテナと、プロセッサとを具備する。プロセッサは、基地局から前記内部領域に位置する無線デバイスへ信号を送信するために用いられる電力と、前記セル内の基地局から前記外部領域に位置する無線デバイスへ信号を送信するために用いられる電力との比率に関する初期電力比を設定し、前記外部領域に位置する無線デバイスにネットワークリソースを割り当て、前記内部領域に位置する無線デバイスにネットワークリソースを割り当て、前記外部領域に位置する前記無線デバイスへのデータの送信に関する第１データスループットレートを計測し、前記第１データスループットレートと閾値データレートとを比較し、前記第１データスループットレートが閾値データレート未満である場合、前記電力比を減少させる。
【００２２】
実施形態では、前記プロセッサはさらに、第２データスループットレートを決定し、前記第２データスループットレートと前記閾値データレートとを比較し、任意の隣接セルの外部領域に位置する無線デバイスに割り当てられないリソースが存在するかどうかを決定し、任意の隣接セルの外部領域に位置する無線デバイスに割り当てられないリソースが存在する場合、前記外部領域に位置する無線デバイスに割り当てられるリソースの数を増加させる。
【００２３】
実施形態では、前記プロセッサはさらに、前記第１データスループットレートと閾値データレートとの間の差分の尺度を計算し、前記差分の尺度に依存する量だけ前記電力比を減少させる。
【００２４】
実施形態は、プロセッサ上で実行されるとき、上述したような方法をコンピュータに行わせるコンピュータ実行可能指示を具備するコンピュータプログラム製品を提供する。コンピュータプログラム製品は、記憶媒体または信号媒体でもよいキャリア媒体において具体化されてもよい。記憶媒体は、光学的記憶手段、磁気記憶手段、または電子記憶手段を含んでもよい。
【００２５】
記述される実施形態は、特定のハードウェアデバイス、適合するソフトウェアによって構成される多目的デバイス、または両方の組合せに組み込むことができる。
【００２６】
態様は、完全なソフトウェア実装として、または（プラグインのような）既存ソフトウェアの拡張または修正に関するアドオンコンポーネントとして、ソフトウェア製品に具現化されることができる。そのようなソフトウェア製品は、記憶媒体（例えば光ディスクまたはＦＬＡＳＨメモリのような大記憶メモリ）、または（ダウンロードのような）信号媒体のような、キャリア媒体により具現化されることができる。実施形態に適する特定のハードウェアデバイスは、ＡＳＩＣ、ＦＰＧＡ若しくはＤＳＰのような特定用途向けデバイス、または他の専用機能ハードウェア手段を含むことができる。
【００２７】
実施形態に係る無線ネットワーク１００を示す。無線ネットワーク１００は、セルのクラスタを含む。図１に示されるように、セルのクラスタは、第１セル１２０、第２セル１４０、第３セル１６０および第４セル１８０を含む。
【００２８】
各セルは、内部領域および外部領域に分割され、分割は、基地局への距離または受信信号強度のどちらかに基づく。  
例えば、次のルールのうちの１つに基づく。  
１）外部領域のどの地点でも、サービング基地局への距離は閾値よりも大きい。  
２）外部領域のどの地点でも、隣接する基地局からの最も強い干渉を減算したサービングセルの基地局からの受信電力は、任意の閾値未満である。  
３）外部領域のどの地点でも、隣接する基地局からの最も強い干渉がないその地点の信号対干渉雑音比（ＳＩＮＲ）は閾値より大きい一方、最も強い干渉があるＳＩＮＲは閾値未満である。
【００２９】
第１セルは、内部領域１２４および外部領域１２２に分割される。基地局１３０は、第１セル１２０の内部領域１２４に位置する。５つのリモートユニット１３１−１３６は、第１セル１２０に位置する。リモートユニット１３１、１３３の２つは、第１セルの内部領域１２４に位置する。リモートユニット１３２、１３４、１３６の３つは、第１セル１２０の外部領域１２２に位置する。以下では、セルの内部領域に位置するリモートユニットは、セル中心ユーザ（ＣＣＵ）と呼ばれ、セルの外部領域に位置するリモートユニットは、セル端ユーザ（ＣＥＵ）と呼ばれる。
【００３０】
第２セル１４０は、内部領域１４４および外部領域１４２に分割される。基地局１５０は第２セル１４０の内部領域１４４に位置する。２つのリモートユーザ１５１、１５３またはＣＣＵが、第２セル１４０の内部領域１４４に位置する。４つのリモートユニット１５２、１５４、１５６および１５８またはＣＥＵが、第２セル１４０の外部領域１４２に位置する。
【００３１】
第３セル１６０は、内部領域１６４および外部領域１６２に分割される。基地局１７０は第３セル１６０の内部領域１６４に位置する。３つのリモート局１７１、１７３および１７５またはＣＣＵが、第３セル１６０の内部領域１６４に位置する。３つのリモートユニット１７２、１７４および１７６またはＣＥＵが、第３セル１６０の外部領域１６２に位置する。
【００３２】
第４セル１８０は、内部領域１８４および外部領域１８２に分割される。基地局１９０は第４セル１８０の内部領域１８４に位置する。３つのリモート局１９１、１９３および１９５またはＣＣＵが、第４セル１８０の内部領域１８４に位置する。３つのリモート局１９２、１９４および１９６またはＣＥＵが、第４セル１８０の外部領域１８２に位置する。
【００３３】
図２は、基地局２００の実施形態を示す。基地局２００は、図１に示される基地局のうちの１つに相当する。基地局２００は、アンテナ２１０、通信モジュール２２０、プロセッサ２３０およびメモリ２４０を含む。
【００３４】
通信モジュール２２０は、アンテナ２１０にリモートユニットからの信号を送受信させることができる。プロセッサ２３０はメモリ２４０に接続される。プロセッサ２３０は、通信モジュール２２０をコントロールし、リモートユニットへのデータの送信を管理するためにメモリ２４０に格納されるコンピュータプログラムを実行することができる。
【００３５】
図３はネットワークリソースを管理する方法３００を示すフローチャートである。方法３００は、図２に示されるような基地局のプロセッサによって実行されるコンピュータプログラムとして実装されてもよい。ネットワークリソースは、基地局とリモートユニットとの間で信号を送信するために用いられるチャネルまたはサブキャリアである。
【００３６】
ステップＳ３０２では、送信電力比が設定される。送信電力比は、ＣＣＵに信号を送信するために用いられるサブキャリアの電力レベルと、ＣＥＵに信号を送信するために用いられるサブキャリアの電力レベルのとの比である。送信電力比は、典型的には０．１〜０．４の範囲にあるだろう。
【００３７】
一般的にＣＥＵがより大きな干渉を被り、ＣＣＵよりも基地局から遠いので、より大きな電力レベルが信号をＣＥＵに送信するために用いられる。より低い電力レベルがＣＣＵに用いられるため、１つのセルに用いられるサブキャリアは、隣接するセル内のＣＣＵまたはＣＥＵに信号を送信するために再利用されうる。ＣＥＵに用いられる信号電力レベルは高いため、干渉をもたらすので、１つのセル内のＣＥＵに用いられるサブキャリアは隣接するセル内のＣＥＵには利用できない。
【００３８】
ステップＳ３０４では、サブキャリアが、セル内のＣＥＵに割り当てられる。図３に示される方法では、サブキャリアの組がセルに関するＣＥＵに予め割り当てられることを想定する。  
ステップＳ３０６では、サブキャリアが、セル内のＣＣＵに割り当てられる。ステップＳ３０６では、ステップＳ３０４でＣＥＵに割り当てられなかった任意のサブキャリアが、セル内のＣＣＵに割り当てられてもよい。
【００３９】
ステップＳ３０８では、ステップＳ３０４およびＳ３０６で割り当てられたサブキャリアを用いて、データがセル内のリモートユニットに送信される。送信用の送信電力は、ステップＳ３０２で設定された比率を用いて決定される。
【００４０】
ステップＳ３１０では、ＣＥＵへの送信に関するデータスループットレートが決定される。
【００４１】
ステップＳ３１２では、データスループットレートと閾値とが比較される。閾値は、必要なデータレートまたはサービスの質（ＱｏＳ）を表わす。閾値は、ネットワークの隣接するセルに対して同じでもよいし、またはネットワークのセル間で変わってもよい。
【００４２】
データスループットレートが閾値よりも高い場合、方法は、送信されるべきデータの次のフレームに対して再開する。データスループットレートが閾値未満である場合、方法は、送信電力比を減少させるステップＳ３１４に進む。
【００４３】
ステップＳ３１４における電力比を減少させることの効果は、ＣＥＵに信号を送信するために用いられる電力を増加させるためである。
【００４４】
ステップＳ３１６では、ステップＳ３０４およびステップＳ３０６で割り当てられるサブキャリアを用いて、データがセル内のリモートユニットに送信される。送信用の送信電力は、ステップＳ３１４で設定された、調整された比率を用いて決定される。
【００４５】
ステップＳ３１８では、ＣＥＵへの送信に関するデータスループットレートが決定される。
【００４６】
ステップＳ３２０では、データスループットレートと閾値とが再び比較される。データスループットレートが閾値より高い場合、方法は、送信されるべきデータの次のフレームに対して再開する。データスループットレートが閾値未満である場合、方法は、ステップＳ３２２に進む。
【００４７】
ステップＳ３２２では、隣接するセル内のＣＥＵによって使用されていないサブキャリアが存在するかどうかが決定される。隣接するセル内のＣＥＵによって使用されていない任意のサブキャリアが存在する場合、ステップＳ３２４に進む。
【００４８】
ステップＳ３２４では、サブキャリアがＣＥＵに割り当てられる。ＣＥＵに割り当てられるリソースは、ステップＳ３２２で識別されたサブキャリアを含む。
【００４９】
ステップＳ３２６では、サブキャリアがＣＣＵに割り当てられる。ステップＳ３０６のように、ステップＳ３２４においてＣＥＵに割り当てられなかった任意のサブキャリアは、セル内のＣＣＵに割り当てられてもよい。
【００５０】
ステップＳ３２８では、ステップＳ３２４およびＳ３２６で割り当てられたサブキャリアを用いて、データがセル内のリモートユニットに送信される。
【００５１】
図４は、４つのセルにおけるネットワークリソースの割り当てを示す。セル１では、多くのサブキャリアまたはリソースブロック（ＲＢ）はＣＥＵに割り当てられる。残りのＲＢは、ＣＣＵに割り当てられる。セル１内のＣＥＵに割り当てられるＲＢは、電力Ｐｃｅｕ，１で送信され、セル１内のＣＣＵに割り当てられるＲＢは、より低い電力Ｐｃｃｕ，１で送信される。セル２に関して、ＲＢの組は、セル１内のＣＥＵに割り当てられるＲＢと重複しないＣＥＵに割り当てられる。残りのＲＢは、ＣＣＵに割り当てられる。セル２のＣＥＵに割り当てられるＲＢは、電力Ｐｃｅｕ，２で送信され、セル２のＣＣＵに割り当てられるＲＢは、より低い電力Ｐｃｃｕ，２で送信される。セル３およびセル４についても同様に、ＲＢは、他の隣接するセル内のＣＥＵに割り当てられるＲＢと重複しないＣＥＵに割り当てられる。
【００５２】
図４に図示されるように、ＣＥＵに割り当てられＲＢの数は、セル間で変わってもよい。ＣＥＵおよびＣＣＵに送信するために用いられる送信電力もまた、セル間で変わってもよい。
【００５３】
実施形態は、セル環境に適応性のある、アダプティブソフト周波数繰り返しスキーム（an adaptive soft frequency reuse scheme）を提供する。例えば、ＣＥＵに割り当てられるリソース帯域の数を決定するとき、セル内のＣＥＵの数が考慮されてもよい。さらに、電力比を設定するとき、データレートのような、セル端ユーザのためのサービス品質要求が考慮される。従って、実施形態は、セル間干渉を緩和することにより、全体的なパフォーマンスに加えてセル端スループットが改善されるスキームを提供する。
【００５４】
図５は実施形態に係る無線ネットワーク５００を示す。無線ネットワーク５００は、セルのクラスタを含む。ネットワークのセルは、図１に関して上記された通りである。図１から繰り返される参照番号は、図５に示されるネットワークの同様の特徴を示す。
【００５５】
図５に示されるように、セルクラスタコントローラ５１０は、基地局１３０、１５０、１７０、１９０に接続される。セルクラスタコントローラは、４つのセルにおけるリソースの割り当てを制御する。
【００５６】
図６は、実施形態のセルクラスタコントローラ５１０を示す。セルクラスタコントローラは通信モジュール６１０を含む。通信モジュールは、基地局と通信することができる。基地局との通信は、有線または無線通信を介してもよい。セルクラスタコントローラはまた、プロセッサ６２０およびメモリ６３０を含む。利用時は、プロセッサ６２０は、ネットワーク５００におけるネットワークリソースを管理するために、メモリに格納されたプログラムを実行する。
【００５７】
図７は、実施形態に係るネットワークリソースを管理するための方法を示す。図７に示される方法は、図５および図６に示されるセルクラスタコントローラ５１０によって実行されてもよい。
【００５８】
ステップＳ７０２では、送信電力比は各セルについて設定される。送信電力比は、セル端ユーザ（ＣＥＵ）に送信するために用いられる電力とセル中心ユーザ（ＣＣＵ）に送信するために用いられる電力との比率を決定する。
【００５９】
ステップＳ７０４では、リソースはＣＥＵに割り当てられる。図７に示される方法が複数のセルを制御するセルクラスタコントローラで行われるので、リソース（サブキャリアまたはチャネル）の割り当ては、中央集中型のやり方（a centralized manner）で行われる。リソースは、ＣＥＵで経験する信号対雑音比のようなチャネル条件に従って、ＣＥＵに割り当てられてもよい。
【００６０】
ステップＳ７０６では、リソースはＣＣＵに割り当てられる。ステップＳ７０６では、セル内のＣＥＵにステップＳ７０４で割り当てられなかった任意のサブキャリアが、そのセル内のＣＣＵに割り当てられてもよい。
【００６１】
ステップＳ７０６の後、基地局は、ＣＥＵとＣＣＵとに信号を送信するために、割り当てられたリソースを用いる。
【００６２】
ステップＳ７０８では、指示が基地局から受信される。各基地局は、基地局が位置するセル内のＣＥＵに関するデータスループットレートの指示をセルクラスタコントローラに送る。
【００６３】
ステップＳ７１０では、セル内のＣＥＵデータスループットレートと閾値データスループットレートとが比較される。
【００６４】
ステップＳ７１２では、ＣＥＵデータスループットレートが閾値未満であるセル内では、送信電力比が減少する。
【００６５】
Ｓ７１２の後、比率が減少したセルにおける調整された送信電力比を用いて、かつＣＥＵデータレートが閾値よりも大きいセルにおける元の送信電力比を用いて、基地局はリモート局にデータを送信する。
【００６６】
ステップＳ７１４では、指示が基地局から受信される。各基地局は、基地局が位置するセル内のＣＥＵのために、データスループットレートの指示をセルクラスタコントローラに送る。
【００６７】
ステップＳ７１６では、データスループットレートと閾値レートとが比較される。
【００６８】
ステップＳ７１８では、ステップＳ７１６においてデータスループットレートが閾値未満であると決定されたセルについては、隣接するセル内のＣＥＵで用いられないサブキャリアが存在するかどうかが決定される。
【００６９】
ステップＳ７２０では、リソースがＣＥＵに割り当てられる。ステップＳ７２０においてＣＥＵに割り当てられるリソースは、ステップＳ７１８において識別されたリソースを含んでもよい。
【００７０】
ステップＳ７２２では、リソースはＣＣＵに割り当てられる。セル内のＣＥＵに割り当てられないリソースは、ＣＥＵに割り当てられる。
【００７１】
Ｓ７２２の後、基地局は、リモートユニットに信号を送信するために、割り当てられたリソースを用いる。
【００７２】
図８は、実施形態においてセル中心ユーザおよびセル端ユーザに割り当てられるリソースブロックを示す。図８に示すように、リソースは連続するブロックで割り当てられない。リソースブロックは、ＣＥＵで経験するチャネル条件に依存してセル内のＣＥＵに割り当てられてもよい。
【００７３】
図８に示されるように、電力レベルは異なるセルに対して変わってもよい。さらに、ＣＥＵに割り当てられるリソースブロックの数は、セルによって変わってもよい。任意のセル内のＣＥＵに割り当てられるリソースブロックの数は、そのセル内のＣＥＵの数によって最初に設定されてもよい。図８に示すように、セルにおいてＣＥＵに割り当てられないリソースブロックは、ＣＣＵに割り当てられる。ＣＣＵに割り当てられるリソースブロックは、ＣＥＵに割り当てられるリソースブロックよりも低い電力で送信される。
【００７４】
アダプティブＳＦＲ方法の実施形態は、図９から図１２までを参照してここで説明する。
【００７５】
図９は、ネットワークリソースを管理するための方法の実施形態の概略を示す。Ｓ９０２では、サブキャリア数電力レベルが形成される。この処理は、「ステップ１：サブキャリアおよび電力レベルコンフィグレーション」の見出しで記述される。ステップ１に続いて、方法は、ステップ２：スケジューリングおよびリソース割り当て（Ｓ９０４）に進む。リソースは方法が開始する前に各セル内のＣＥＵに割り当てられうるし（これは静的リソース割り当てである）、リソースは方法が実行中にセル間にわたってＣＥＵに割り当てられうる（これは動的リソース割り当てである）。  
静的リソース割り当ては、基地局またはセルクラスタコントローラで実施されてもよい。静的リソース割り当てがセルクラスタコントローラ実施される場合、ＣＥＵの数およびユーザの総数は、基地局からセルクラスタコントローラに送信されるだろう。動的リソース割り当てに関して、ＣＥＵの数およびユーザの総数は、基地局からセルクラスタコントローラに送信されるだろう。動的リソース割り当てに関して、チャネル特性もまたセルクラスタコントローラに送信され、その後セルクラスタコントローラは、各セル内のＣＥＵのためのリソースを決定する。
【００７６】
Ｓ９０６では、リソース割り当てが静的である場合、方法は、Ａ点からＣ点に移る。Ａ点とＣ点と間のステップは、図１０を参照してより詳細に記述される。リソース割り当てが動的である場合、方法は、Ｂ点からＣ点に移る。Ｂ点とＣ点との間のステップは、図１１を参照してより詳細に記述される。ステップ３（Ｓ９０８）では、ＣＥＵに関するデータスループットレートとサービス品質（ＱｏＳ）とが比較される。ＱｏＳを満たすかどうかに依存して、方法は電力レベル最適化であるステップ４に移るか、Ｓ９１２における次のフレームに移動する。ＣＥＵに関するデータスループットレートがＱｏＳ要求未満である場合、方法は、Ｄ点からＦ点を通過して、図１２を参照して以下により詳細に記述されるステップ４（Ｓ９１０）に移動する。ＱｏＳ要求が満たされる場合、方法はＤからＥまで移動し、Ｓ９１２において次のフレームに移動する。
【００７７】
ステップ１から４までは、ここでより詳細に記述される。
【００７８】
ステップ１：サブキャリアおよび電力レベルコンフィグレーション  
もし、サブキャリアの数およびそれらの電力が、
【００７９】
【数１】
2016513900.tif 000003
のように、ＯＦＤＭＡセルｎ内の送信電力ＰＴｘとの関係を有することができるならば、
【００８０】
【数２】
2016513900.tif 000004
を条件とする。  
ここで、Ｎｃｅｕ，ｎおよびＮｃｃｕ，ｎは、ＣＥＵおよびＣＣＵにそれぞれ割り当てられるサブキャリアの数を表わす一方、ｐｃｅｕ，ｎ，ｉおよびｐｃｃｕ，ｎ，ｊは、ＣＥＵおよびＣＣＵにそれぞれ割り当てられる、サブキャリアｉおよびサブキャリアｊの電力である。
【００８１】
Ｎｃｅｕ，ｎ＋Ｎｃｃｕ，ｎ→Ｎの場合、サブキャリア比βｎは、利用可能なサブキャリアＮの中で割り当てられたＣＥＵサブキャリアの重み付けを示す。Ｎｃｅｕ，ｎが予め定められる場合、重み付けは、
【００８２】
【数３】
2016513900.tif 000005
のように計算されうる。  
あるいは、ＣＥＵの数Ｕｃｅｕ，ｎおよびユーザの総数ＵＴ，ｎの観点から、
【００８３】
【数４】
2016513900.tif 000006
のように適応可能である。  
それゆえ、ＣＥＵおよびＣＣＵのサブキャリアの数はそれぞれ、
【００８４】
【数５】
2016513900.tif 000007
【００８５】
のように、βｎおよびＮの形式で記載されうる。  
セル内の全てのＣＥＵにわたる全てのサブキャリアが、同一の電力に設定されるとする。これは、ＣＣＵに適用されるが、電力レベルは（３）式に示したように低い。それゆえ、ＣＣＵのサブキャリア電力、ＰＣＣＵは、セルｎ内のＣＥＵのサブキャリア電力ＰＣＥＵの観点から、
【００８６】
【数６】
2016513900.tif 000008
のように表されうる。  
ここで、αｎは、送信電力比である。
【００８７】
ＣＥＵを最大化するための
【００８８】
【数７】
2016513900.tif 000009
および全体のパフォーマンスを仮定すると、（１）式は、（４）式から（８）式に基づいて、
【００８９】
【数８】
2016513900.tif 000010
のように、異なる表記法で記載されうる。  
実用的システムでは、ＮおよびＰＴｘは知られており、パラメータβｎおよびαｎは、それぞれ計算され最適化されうる。ＰＣＥＵ，ｎは未知であり、各ＣＥＵおよびＣＣＵ割り当てに関するサブキャリア電力を構成するために計算される必要がある。
【００９０】
ＰＣＥＵ，ｎは、
【００９１】
【数９】
2016513900.tif 000011
のように計算される。  
セルｎ内のＣＥＵおよびＣＣＵに割り当てられる多くのサブキャリアの配置は、（６）式および（７）式で表現され、それらのサブキャリア電力レベルは、（１１）式および（８）式でそれぞれ示される。
【００９２】
ステップ２：スケジューリングおよびリソース割り当て  
２段のスケジューリングアーキテクチャ１３００は、図１３に図示されるように、実施形態で用いられる。２つの分離したスケジューラがＣＣＵおよびＣＥＵに供給されるために適用されるが、ＣＥＵスループットを最大化する目的関数をサポートするために、ＣＥＵは、最も高い優先度を有する。そのため、第１段目のスケジューリングは、絶対優先（Strict Priority）（ＣＥＵ＞ＣＣＵ）に効果的に基づいている。
【００９３】
各隣接セルに対して、割り当てられるＣＥＵのサブキャリアの最大数ＮＣＥＵ，ｎは、
【００９４】
【数１０】
2016513900.tif 000012
である。
【００９５】
ここでＣｎは、隣接セルの数であり、参照セルを含む。この計算は、全てのセルが、それらのＣＥＵに関して十分な専用サブキャリアを有することを保証し、ＣＣＵに関するリソース枯渇も回避するためである。  
第２段目のスケジューリングは、ＣＥＵ間のスケジューリングを含み、ＣＣＵ自身のスケジューラによって供給されるＣＣＵ間のスケジューリングも含む。図１３に示されるように、ＣＥＵは、ＭＡＸ−ＳＮＲ−ＦＡＩＲスケジューラ１３１０によって供給され、ＣＣＵは、Ｐｒｏｐｏｒｔｉｏｎａｌ Ｆａｉｒスケジューラ１３２０によって供給される。
２つの協調されるリソース割り当て方法が提案される。
【００９６】
（１）静的かつ局所的割り当て  
方法（１）において、各隣接セルは、連続するサブキャリアのグループに割り当てられる。
【００９７】
（２）動的かつ分散した割り当て  
この実施形態は、ユーザのサブキャリア品質から周波数ダイバーシチ利得を考慮する。方法（２）は、中央集中型のやり方で隣接セルにわたって全てのＣＥＵユーザに動的に供給することである。これは、セル内のセルクラスタコントローラ（ＣＣＣ）の存在で可能である。
【００９８】
両方の方法に関して、ユーティリティは、ＳＩＮＲにより、または過去のスループットでの達成可能な送信レートの比率として定義される。ＳＩＮＲに基づいたスケジューラは、Ｍａｘ−ＳＩＮＲスケジューラと呼ばれる。別のものは、Ｐｒｏｐｏｔｉｏｎａｌ−Ｆａｉｒ（ＰＦ）スケジューラと呼ばれる。ＰＦがどのユーザに供給されるべきであるかを見つけるために時間領域で用いられ、ＭＡＸ−ＳＩＮＲが最良のサブキャリア上で対応するユーザを割り当てるために周波数領域で用いられる場合、ＰＦおよびＭＡＸ−ＳＩＮＲスケジューラの組合せも用いることができる。
【００９９】
図１０において要約されるように、以下のステップで、方法（１）−静的リソース割り当てが各セルｎにより行なわれる。  
ステップＳ１００２では、ＣＥＵ割り当てに関するサブキャリアオフセット（または開始インデックス）およびサブキャリアＳｎの固有ブロックが与えられる。ブロックＳｎにおけるサブキャリアＮｃｅｕ，ｎの数は、（６）式に基づいて計算され、その最大値は、（１２）式としてのみ達することができる。
【０１００】
Ｃｎ，ｉ，ｋは、セルｎ内のＣＥＵｉのｋ番目のサブキャリアのユーティリティとして示す。セル内で最も高いＣｎ，ｉ，ｋを有するユーザｘｎ，ｉ，ｋを求める。これは、全てのユーザｉのＣｎ，ｉ，ｋの列を、
【０１０１】
【数１１】
2016513900.tif 000013
として公式化された降順に、ソートすることにより得られる。  
用いられるスケジューラがＭａｘ−ＳＩＮＲに基づく場合のみ、ユーザｉ当たりのサブキャリアの最大値は、
【０１０２】
【数１２】
2016513900.tif 000014
を条件とする。達成可能な公平性のため、制約はＰＦスケジューラに適用されない。  
ステップＳ１００４では、選ばれたサブキャリアが利用可能であり、かつユーザｘｎ，ｉ，ｋに関するサブキャリアの数がｎｃｅｕ，ｎ未満である場合かつその場合に限り、それぞれのユーザに供給される。または、ソートされたユーザのリストから次のユーザに供給される。
【０１０３】
ステップＳ１００６では、ｃｎ，ｉ，ｋの割り当てられたサブキャリアがマークされる。
【０１０４】
サブキャリアの全ブロックが割り当てられるまで、ステップＳ１００４およびＳ１００６が繰り返される。
【０１０５】
ステップＳ１００８では、セルｎ内のＣＣＵに供給するために、Ｐｒｏｐｏｒｔｉｏｎａｌ−Ｆａｉｒ（ＰＦ）スケジューラまたは最大ＳＩＮＲスケジューラのどちらかが用いられる。  
スケジューリングポリシーは、フレーム内のシンボルの各サブキャリアに適用される。ＣＣＵのために割り当てられるサブキャリアは、サブキャリアＳｎのブロックを超えなければならず、ＣＥＵサブキャリアの最大数は（７）式で計算された通りである。  
残っているどんなサブキャリアも、ステップＳ１０１０において、ＣＣＵに割り当てられる。
【０１０６】
Ｓ１０１２では、全てのセルがそれらのリソース割り当てタスクを完了するまで、方法は次のセルへ移る。
【０１０７】
図１０に示される方法は、セルレベルで、例えばセル内の基地局で実装されてもよいし、セルクラスタコントローラで実現されてもよい。  
図１１に要約されるように、方法（２）の手続きは、全ての隣接セルにわたって全てのユーザのサブキャリア条件に基づいており、次のように説明される。  
ステップＳ１１０２では、全てのユーティリティｃｎ，ｉ，ｋ（例えばＳＩＮＲ）のユーザのサブキャリアは、全ての対応するセルｎから収集される。  
サブキャリアの最も高いユーティリティを有するユーザｘｎ，ｉ，ｋは、（１３）式で示されるように降順でユーザのサブキャリア情報をソートすることにより求める。
【０１０８】
ステップＳ１１０４では、選ばれたサブキャリアが利用可能で、かつユーザｘｎ，ｉ，ｋに関してサブキャリアの数がｎｃｅｕ，ｎ未満である場合でかつその場合に限り、それぞれのユーザに供給される。または、ソートされたユーザのリストから次のユーザに供給される。
【０１０９】
ステップＳ１１０６では、割り当てられるサブキャリアがマークされ、ユーザｎｎ，ｉのサブキャリアの数は、１つずつ増加する。  
各セルに関するＣＥＵ割り当てのためのサブキャリアの必要数が満たされるまで、ステップＳ１１０４およびＳ１１０６が繰り返される。
【０１１０】
ステップＳ１１０８では、セルｎ内のＣＣＵユーザに供給するために、方法（１）におけるＳ１００８がセル基準で用いられる。しかし、ＣＣＵは残っている利用可能なサブキャリアにのみ割り当てられる。Ｓ１１１０では、サブキャリアが完全に用いられるまで、残っているサブキャリアがＣＣＵに割り当てられる。ＣＣＵへのサブキャリアの割り当ては、ステップＳ１１１２での全てのセルに関して繰り返される。
【０１１１】
ステップ３：ＱｏＳ要求検証  
図１２は、ＱｏＳ要求の検証を示す。このステップは、要求されるデータレートＲｎ（すなわちＱｏＳ）を満たすＣＥＵ Ｈｃｅｕ，ｎの達成可能なスループットを検証することである。後者は同一でありうるし、隣接セルについて予め定義された値を変化させうる。
【０１１２】
要求が満たされる場合、ステップ２におけるコンフィグレーションは残ったままである。そうでなければ、サブキャリア電力レベルのいくつかの調節がなされるだろう。図１２に要約されるように、ＱｏＳ検証の詳細は次のとおりである。
【０１１３】
Ｓ１２０２：前のフレームからの達成可能なスループットＨｃｅｕ，ｎが、予め定義されたデータレート要求Ｒｎ未満であるかどうか（すなわち、Ｈｎ＜Ｒｎ）を確認する。  
これが真である場合、Ｓ１２０４に移り、
【０１１４】
【数１３】
2016513900.tif 000015
のように、ＱｏＳ不足率ｄｎを計算する。  
一方、ＱｏＳ要求が満たされる場合、調整が要求されないので、方法はＳ１２０６に移る。
【０１１５】
Ｓ１２０６の後、ステップ２：スケジューリングおよびリソース割り当てが次のフレームに関して繰り返される。
【０１１６】
ステップ４：電力またはサブキャリア調整  
パラメータ調整またはチューニングは、典型的に調整のレベルに委ねられる。  
Ｓ１２０７では、調整が行われている場合に決定される。それが最初の段階である場合、まだ調整は行われていないので、ステップＳ１２０８に進み、（１６）式および（１７）式のような新しいＣＥＵサブキャリア電力Ｐｎｅｗ，ＣＥＵおよび送信電力比αｎｅｗ，ｎが、ステップＳ１２１４におけるシステムでそれぞれ適用される、サブキャリア電力チューニングが行われる。
【０１１７】
【数１４】
2016513900.tif 000016
サブキャリア重み付けβｎは、初期コンフィグレーションのままであり、送信電力ＰTxと同様にサブキャリアの数Ｎは、実用的システムにおいて通常固定される。  
ＱｏＳ要求がまだ第１の調整を満たさない場合、方法はステップＳ１２１０における調整の第２（次の）レベルに移る。ステップＳ１２１０では、第２レベル調整は、隣接セルのＣＥＵによって用いられないいくつかのサブキャリアがある場合でありかつその場合に限り、ＣＥＵサブキャリアの数を増加させることである。  
調整は主に、（１８）式と（１９）式のそれぞれで計算されるような、サブキャリア重み付けおよびＣＥＵサブキャリアＮｃｅｕ，ｎｅｗ，ｎの数でなされる。
【０１１８】
総送信電力ＰＴｘのままであるように、ＣＥＵに関する新しいサブキャリア電力レベルＰＣＥＵ，ｎｅｗ，ｎは、ステップＳ１２１２で（２０）式で示されるようにチューン（調整）される。他のパラメータ値（すなわち、ＰＣＥＵ，ＰＴｘ，Ｎ）は、初期コンフィグレーションと同様である。
【０１１９】
【数１５】
2016513900.tif 000017
【０１２０】
次に、ステップ１は、要求されるＱｏＳを満たすために、この新しいコンフィグレーションで繰り返される。  
図１４は、実施形態に係るネットワーク１４００を示す。ネットワーク１４００のネットワークレイアウトは、図１４に示されるような１９個のマクロセルでモデル化される。各マクロセル１４１０は、３つのセクタを有し、インターサイトまたはマクロＢＳ距離（ＩＳＤ）は１７３２メートルである。また、マクロセル１４１０に位置する建築物１４２０内に４つのスモール基地局１４３０がある。各スモールセルは、ＭＩＭＯ（他入力多出力）システムを実装する。スモール基地局１４３０は、２つの送信アンテナを有し、２つのＭＩＭＯ−ＭＲＣ（最大比合成）受信機を備える１５人のユーザに供給する。提案されたスキーム（ブロックアダプティブＳＦＲおよび動的アダプティブＳＦＲ）で用いられるスケジューラは、ＣＣＵとＣＥＵにそれぞれ供給するためのＰＦおよびＭａｘ−ＳＩＮＲである。他のスキームは、ＰＦスケジューラのみを採用することを想定する。
【０１２１】
サブキャリアおよびサブキャリア電力の数を調節することによってＣＥＵパフォーマンスを向上させるために、実施形態はＱｏＳ要求を考慮する。実施形態は、全体的なシステムパフォーマンスの質を下げずに、セル環境に適応的でかつ動的である。実施形態では、セル端パフォーマンスだけでなく、統合したセルスループットも改善される。ＣＣＵおよびＣＥＵ間の公平性もまた、たとえ最も高い優先度を有してもＣＥＵリソース割り当てに関する閾値を導くことによって、スケジューリングタスク中で考慮される。
【０１２２】
実施形態は、実用的アプリケーションに適用されるとき適度な低複雑性を有する、スケジューリングおよびリソース割り当て方法を提供する。実施形態は、ロングタームエボリューション（ＬＴＥ）、分散システム（ＤＡＳ）およびクラウドネットワークに適用されうる。
【０１２３】
本発明のいくつかの実施形態を説明したが、これらの実施形態は、例として提示したものであり、発明の範囲を限定することは意図していない。これら新規な実施形態は、その他の様々な形態で実施されることが可能であり、発明の要旨を逸脱しない範囲で、種々の省略、置き換え、変更を行なうことができる。これら実施形態やその変形は、発明の範囲や要旨に含まれるとともに、特許請求の範囲に記載された発明とその均等の範囲に含まれる。
【図１】
2016513900.tif 000018
【図２】
2016513900.tif 000019
【図３】
2016513900.tif 000020
【図４】
2016513900.tif 000021
【図５】
2016513900.tif 000022
【図６】
2016513900.tif 000023
【図７】
2016513900.tif 000024
【図８】
2016513900.tif 000025
【図９】
2016513900.tif 000026
【図１０】
2016513900.tif 000027
【図１１】
2016513900.tif 000028
【図１２】
2016513900.tif 000029
【図１３】
2016513900.tif 000030
【図１４】
2016513900.tif 000031
【国際調査報告】
2016513900.tif 000032
2016513900.tif 000033
2016513900.tif 000034